(57)【要約】【課題】  ドア体に上方に突出する走行ローラを設け、該走行ローラを、躯体の開口部上方に配した走行レールに移動自在に吊持してなる引き戸装置において、ドア体のドア厚方向の振れ止めをする。【解決手段】  第一ドア体２の戸先側に配される第一走行ローラユニット５の第一固定片５ａに、ベース部材１９を表裏方向調整自在に固定し、該ベース部材１９に、上下方向を向く他方プレート２０ｂを備えたＬ字プレート２０を固定し、前記他方プレート２０ｂにアーム部材２１を上下方向調整自在に固定し、該アーム部材２１の裏面側に突出する他方片部２１ｄの突出先端部に振れ止めローラ２２を軸承するとともに、開口部上方の壁面に配されるレール用支持ブラケット７に振れ止めレール２３を表裏方向調整自在に設ける構成とする。【選択図】図３
2007146545.tif 000002
【特許請求の範囲】
【請求項１】
ドア体に上方に突出する走行ローラを設け、該走行ローラを、躯体の開口部上方に配した走行レールに移動自在に吊持して、ドア体が開口部を閉鎖する全閉姿勢とドア体が開口部を開放する全開姿勢とに変姿してなる引き戸装置において、ドア体の上部にローラアームを介して設けた振れ止めローラを、躯体に設けた振れ止めレールに移動自在に嵌合する振れ止め手段を設けて、ドア体の吊持部を支点とするドア厚方向の振れ止めをするにあたり、前記振れ止めローラの配設位置を、ドア体の走行レールへの吊持部とローラアームのドア体への固定部とのあいだで、かつ、ドア厚方向一方に偏寄する位置とするとともに、振れ止めレールを、開口部上方のドア面に対して平行となる壁面に設けるように構成した引き戸装置。
【請求項２】
引き戸装置は、複数のドア体により構成され、各ドア体にそれぞれ設けた走行ローラを、躯体の開口部上方の壁面にドア厚方向並列状に配した複数の走行レールにそれぞれ移動自在に吊持し、ドア体が幅方向に隣接して開口部を閉鎖する全閉姿勢とドア体がドア厚方向に積層して開口部を開放する全開姿勢とに変姿する構成とし、振れ止めローラは全閉姿勢で戸先側に位置するドア体に設けられている請求項１に記載の引き戸装置。
【請求項３】
ドア体は、ドア面に対して平行となる壁面の戸先側端部に設けた自閉装置により自閉する構成とし、振れ止めローラを、ドア体の全閉姿勢で自閉装置の戸尻側に隣接して設ける一方、振れ止めレールを自閉装置固定部から開口部の戸尻側に向けて配設した請求項１または２に記載の引き戸装置。
【請求項４】
ローラアームは、ドア体の上端面に固定される第一部材と、該第一部材に連結され、ドア体のドア厚方向一方の面に沿って上方に延出する垂直延出部を備えた第二部材と、該垂直延出部から壁体に向けて突出する水平延出部を備えた第三部材とを用いて構成され、これら第一、第二、第三部材は、ドア体に対しドア厚方向と上下方向との位置調整が自在に組み込まれている請求項１乃至３の何れか一項に記載の引き戸装置。
【請求項５】
振れ止めレールは、壁体に一体化される第一レール部材と、振れ止めローラが嵌入するレール溝を備え、前記第一レール部材に対しドア厚方向の位置調整が自在な第二レール部材とを用いて構成されている請求項１乃至４の何れか一項に記載の引き戸装置。
【発明の詳細な説明】
【技術分野】
【０００１】
本発明は、例えば病院や福祉施設等の建築物に建付けられる引き戸装置の技術分野に属するものである。
【背景技術】
【０００２】
一般に、この種引き戸装置のなかには、ドア体に上方に突出する走行ローラを設け、該走行ローラを、開口部上方の躯体側に配した走行レールに移動自在に吊持することにより、ドア体が走行ローラに案内される状態で開口部を開閉するように構成したものがある。このような引き戸装置では、ドア体の開閉作動の過程で、走行ローラの走行レールへの吊持部を支点とするドア厚方向（表裏方向）の揺動（振れ）が生じて円滑な開閉作動を損なうことがある。
【０００３】
この改善策として、ドア体の表裏一方のドア面の上部に振れ止めローラを設ける一方、躯体天井部に前記振れ止めローラが移動自在に嵌合する振れ止めレールを設けて構成される振れ止め手段を設けて、ドア体の開閉作動の過程で前記振れ止めローラが振れ止めレールに案内される状態で移動することで、ドア体のドア厚方向の振れを規制するようにしたものが提唱されている。
【特許文献１】特開２０００−３２８８３３
【発明の開示】
【発明が解決しようとする課題】
【０００４】
ところで、ドア体の表裏方向の振れはドア体吊持部を支点として生じるため、ドア体の下方ほど振幅が大きくなる。このため、振れ止めローラをなるべくドア体の下方に設けることにより効果的なドア体の振れ止めとすることができる。ところが、前記従来のものは、振れ止めローラが嵌入する振れ止めレールを、走行レールに沿って天井部に設ける構成としたので、先端に振れ止めローラが設けられるローラアームの基端部をドア体に固定する構成となっている。このようなものにおいて、ドア体の効果的な振れ止めをするべくローラアームの基端部をドア体の下方に固定する場合では、ローラアームの全長を長く形成しなければならず、このようにすると、ローラアームの強度や耐久性が劣ることが想定され、これらを確保するためには重量化してしまうばかりでなく、意匠性にも劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、ドア体に上方に突出する走行ローラを設け、該走行ローラを、躯体の開口部上方に配した走行レールに移動自在に吊持して、ドア体が開口部を閉鎖する全閉姿勢とドア体が開口部を開放する全開姿勢とに変姿してなる引き戸装置において、ドア体の上部にローラアームを介して設けた振れ止めローラを、躯体に設けた振れ止めレールに移動自在に嵌合する振れ止め手段を設けて、ドア体の吊持部を支点とするドア厚方向の振れ止めをするにあたり、前記振れ止めローラの配設位置を、ドア体の走行レールへの吊持部とローラアームのドア体への固定部とのあいだで、かつ、ドア厚方向一方に偏寄する位置とするとともに、振れ止めレールを、開口部上方のドア面に対して平行となる壁面に設けるように構成した引き戸装置である。
請求項２の発明は、引き戸装置は、複数のドア体により構成され、各ドア体にそれぞれ設けた走行ローラを、躯体の開口部上方の壁面にドア厚方向並列状に配した複数の走行レールにそれぞれ移動自在に吊持し、ドア体が幅方向に隣接して開口部を閉鎖する全閉姿勢とドア体がドア厚方向に積層して開口部を開放する全開姿勢とに変姿する構成とし、振れ止めローラは全閉姿勢で戸先側に位置するドア体に設けられている請求項１に記載の引き戸装置である。
請求項３の発明は、ドア体は、ドア面に対して平行となる壁面の戸先側端部に設けた自閉装置により自閉する構成とし、振れ止めローラを、ドア体の全閉姿勢で自閉装置の戸尻側に隣接して設ける一方、振れ止めレールを自閉装置固定部から開口部の戸尻側に向けて配設した請求項１または２に記載の引き戸装置である。
請求項４の発明は、ローラアームは、ドア体の上端面に固定される第一部材と、該第一部材に連結され、ドア体のドア厚方向一方の面に沿って上方に延出する垂直延出部を備えた第二部材と、該垂直延出部から壁体に向けて突出する水平延出部を備えた第三部材とを用いて構成され、これら第一、第二、第三部材は、ドア体に対しドア厚方向と上下方向との位置調整が自在に組み込まれている請求項１乃至３の何れか一項に記載の引き戸装置である。
請求項５の発明は、振れ止めレールは、壁体に一体化される第一レール部材と、振れ止めローラが嵌入するレール溝を備え、前記第一レール部材に対しドア厚方向の位置調整が自在な第二レール部材とを用いて構成されている請求項１乃至４の何れか一項に記載の引き戸装置である。
【発明の効果】
【０００６】
請求項１の発明とすることにより、ローラアームをコンパクトにすることができ、重量化するのを抑制することができ、耐久性、意匠性にも優れる。
請求項２の発明とすることにより、ドア体の振れを有効に吸収して、静粛で安定した開閉作動とすることができる。
請求項３の発明とすることにより、自閉する構成のドア体であっても、開閉作動の過程でドア体の振れを有効に吸収して、静粛で安定した開閉作動とすることができる。
請求項４の発明とすることにより、振れ止めローラの配設位置を精度よく設定することができ、静粛、かつ、円滑な開閉作動とすることができる。
請求項５の発明とすることにより、振れ止めレールの配設位置を精度よく設定することができ、静粛、かつ、円滑な開閉作動とすることができる。
【発明を実施するための最良の形態】
【０００７】
つぎに、本発明の実施の形態について、図面に基づいて説明する。
図面において、１は、建物内に形成される各室への出入り口部に設けられる引き戸装置であって、該引き戸装置１は、開口部を閉鎖する閉鎖姿勢において戸先側に位置する第一ドア体（戸先側ドア体）２と、戸尻側に位置する第二ドア体（戸尻側ドア体）３とを備えて構成されている。そして、これら第一、第二ドア体２、３は、開口部の戸尻側部に配されたパネル体４に沿ってドア厚方向に積層して開口部を開放する全開姿勢から、第一、第二ドア体２、３がパネル体４配設部位から引出されて、開口部の戸先側と戸尻側とに並列して開口部を閉鎖する全閉姿勢とのあいだを変姿することで、開口部の開閉を行う構成となっていること等は従来通りである。
【０００８】
前記第一、第二ドア体２、３、そして、パネル体４とは、それぞれ一対の表裏パネル体２ａ、３ａ、４ａのあいだにコア材２ｂ、３ｂ、４ｂを介装することにより構成されており、それぞれあらかじめ設定される所定の板厚（ドア厚）を有したものに形成されている。ここで、本実施の形態の引き戸装置１は、第一ドア体２が最も室外側に位置し、該第一ドア体２の室内側に第二ドア体３、さらに室内側にパネル体４が配設され、これらがドア厚方向（表裏方向）に積層する位置関係となっており、説明の都合上、各ドア体２、３、パネル体４の室外側面方向を表面方向として説明する。
【０００９】
さて、前記第一、第二ドア体２、３の上部には、それぞれ左右一対（戸先側と戸尻側と）の第一、第二走行ローラユニット５、６がそれぞれ一体的に設けられている。前記第一、第二走行ローラユニット５、６は、それぞれ第一、第二ドア体２、３の上端面に固定される第一、第二固定片５ａ、６ａと、該第一、第二固定片５ａ、６ａから上方に向けて起立する第一、第二起立片５ｂ、６ｂとを備えて構成されており、各起立片５ｂ、６ｂの上端部から裏面側（室内側）に突出する支軸５ｃ、６ｃにそれぞれ第一、第二走行ローラ５ｄ、６ｄが回転（転動）自在に軸承されている。ここで、第一、第二走行ローラ５ｄ、６ｄは、第一、第二ドア２、３の直上方向に位置して配設されている。
尚、第一、第二起立片５ｂ、６ｂは、それぞれ上下方向長さが異なるように形成され、第一走行ローラ５ｄの下端部の下方に第二走行ローラ６ｄの上縁部が配設されて上下方向段差状となり、第一、第二走行ローラ５ｄ、６ｄ同士が上下方向に重なることがないように構成されている。
【００１０】
一方、開口部上方からパネル体４上方に至る躯体壁体には、パネル体４の表面と略面一となる位置関係の取り付け面７ａを備えたレール用支持ブラケット７が固定されており、該取り付け面７ａの上下方向中間部に、第二走行ローラ６ｄが走行するための第二走行レール８が一体的に設けられている。さらに、レール用支持ブラケット７の上部であって、第二走行レール８の上方には、室外側に突出する補助取り付け面７ｂが一体的に設けられており、ここに、第一走行ローラ５ｄが走行するための第一走行レール９が一体的に設けられており、これによって、第一、第二走行レール９、８が表裏方向に並列する状態で配設されている。ここで、第一走行レール９は、レール用支持ブラケット７の左右方向略全長に亘って設けられるが、第二走行レール８は、全閉姿勢の第二ドア体３対向位置から全開姿勢の第二ドア体３対向位置とのあいだに設けられている。
そして、第一、第二ドア体２、３は、それぞれ一対の第一、第二走行ローラ５ｄ、６ｄの回転面を第一、第二走行レール９、８の上側から係止させることにより、表裏方向に積層される状態で吊持され、各レール９、８に移動案内を受ける状態で左右方向の移動走行をするように設定されている。
【００１１】
さらに、第一ドア体２の上端面には、左右の第一走行ローラユニット５のあいだに位置してベルト連結体１０が設けられ、該ベルト連結体１０の左右端部には、第一、第二ドア体２、３を連動するための長尺状の第一、第二ベルト体１１、１２の一端部がそれぞれ連結固定されている。そして、第一ベルト体１１の遊端部は、第二ドア体３の戸先側に突出する状態で設けられた戸先側プーリ１３に懸け回された後、レール用支持ブラケット７に設けられた第一ベルト固定具１４に固定されている。また、第二ベルト体１２の遊端部は、第二ドア体３の戸尻側に設けられた戸尻側プーリ１５に懸け回された後、レール用支持ブラケット７に設けられた第二ベルト固定具１４ａに固定されている。ここで、引き戸装置１の全閉姿勢において、第二ドア体３の戸先側プーリ１３は、第一ドア体２に設けられたベルト連結体１０よりも戸先側に位置する位置関係で、第一、第二ベルト固定具１４、１４ａは、戸尻側プーリ１５よりも戸先側に位置する位置関係でそれぞれ配設されている。
そして、第一ドア体２を開放作動した場合では、ベルト連結体１０が開放方向に変位することにより、第一ベルト体１１が戸先側プーリ１３を引っ張るように作用して第二ドア体３を強制的に開放作動し、第二ドア体２を閉鎖作動した場合では、ベルト連結体１０が閉鎖方向に変位することにより、第二ベルト体１２が戸尻側プーリ１５を引っ張るように作用して第二ドア体３を強制的に閉鎖作動するように設定されている。このとき、戸先側、戸尻側プーリ１３、１５は、それぞれ動滑車として機能することになり、所定の速度で開閉操作される第一ドア体２に対し、第二ドア体３は、第一ドア体２の半分の速度で開閉作動するように設定されている。
尚、２ｃは第一ドア体２の戸先側に設けられた把手であって、該把手２ｃを把持することで軽快な開放操作ができるように構成されている。
【００１２】
さらに、引き戸装置１には、第一、第二ドア体２、３を自動的に閉鎖させる自閉装置１６が設けられており、把手２ｃを把持して開放操作をし、第一、第二ドア体２、３を必要なだけ開放させた後に把手２ｃを放すことで、第一、第二ドア体２、３が自動的に閉鎖するように構成されている。
前記自閉装置１６は、開口部上方の壁体に固定されたレール用支持ブラケット７の戸先側部端部に配設されており、該自閉装置１６には図示しない巻装具が設けられ、該巻装具に巻装されたワイヤ１６ａの先端部が、自閉装置１６を構成するケーシング１６ｂから右方（戸尻側）に向けて延出する構成となっている。そして、ワイヤ１６ａの延出端部は、第一ドア体２の戸先側に設けられた第一走行ローラユニット５の第一起立片側５ｂに連結されており、第一ドア体２の開放作動に伴いワイヤ１６ａがケーシング１６ｂから引き出されるように設定され、該ワイヤ１６ａの引き出しに基づいて巻装具にはワイヤ１６ａを巻き取る方向の蓄勢力が蓄勢されるように設定されている。これによって、開放操作が解消されたとき、第一ドア体２は巻装具の蓄勢力を受けたワイヤ１６ａにより引っ張られる状態で閉鎖方向に移動し、これに伴い第一、第二ドア体２、３の閉鎖作動が連動してなされるように設定されている。
【００１３】
また、本実施の形態の引き戸装置１には、第一、第二ドア体２、３を全開姿勢に変姿せしめたとき、該全開姿勢を維持するためのストッパ装置１７が設けられている。該ストッパ装置１７は、第一ドア体２の戸先側に設けられた走行ローラユニット５の起立片５ｂの上縁部戸先側に位置し、上方に突出する状態で設けられたストップローラ１７ａと、開口部上方（レール用支持ブラケット７の上方）に固定され、下方に突出する山状の傾斜面１７ｂが形成され、所定の押圧力で上動（押動）するローラ受け具１７ｃとにより構成されている。そして、開放操作がなされたとき、第一、第二ドア体２、３の開放操作力が大きく、ストップローラ１７ａがローラ受け具１７ｃの傾斜面１７ｂを押圧して強制的にローラ受け具１７ｃを上動させた場合に、第一、第二ドア体２、３が全開姿勢になることに伴いストップローラ１７ａが傾斜面１７ｂを乗り越えてローラ受け具１７ｃに係合するように構成されている。この状態となると、第一、第二ドア体２、３の全開姿勢の姿勢保持がなされるが、このとき、第一、第二ドア体２、３には自閉装置１６による閉鎖方向への引っ張り力が作用している。このため、ローラ受け具１７ｃを強制上動（強制押動）させるのに必要な作動力は、自閉装置１６の巻装具に第一、第二ドア体２、３の全開姿勢で蓄勢される蓄勢力よりも大きく設定され、これによって、第一、第二ドア体２、３が全開姿勢に保持されるように構成している。
これに対し、前記ストッパ装置１７による全開姿勢の解除は、第一、第二ドア体２、３を、ストップローラ１７ａが傾斜面１７ｂを押圧して、ローラ受け具１７ｃを強制上動させるのに必要な作動力を上回る操作力で閉鎖操作をすることにより、全開姿勢保持が解除され、該解除後は、自閉装置１６の作動を受けて閉鎖するように設定されている。
【００１４】
さらに、１８は制動装置であって、該制動装置１８は、第一、第二ドア体２、３が全閉姿勢となる過程で、第一ドア体２が開口部を構成する戸先側の枠体に衝撃的に当接するのを防止するように設定されている。この制動装置１８は、第一ドア体２と一体的に作動する戸先側の第一走行ローラユニット５の起立片５ｂの上縁部戸尻側に位置して設けられるピニオン１８ａと、第一走行レール９に配されたラック１８ｂとを備えて構成され、第一ドア体２が全閉姿勢となる前の段階でピニオン１８ａがラック１８ｂ上を走行することにより制動されるように構成され、これによって、第一ドア体２の戸先側端面が開口部の戸先側枠体に衝接するような不具合をなくすことができるように構成されている。
【００１５】
さらに、引き戸装置１を構成する第一、第二ドア体２、３には、第一、第二走行ローラ５ｄ、６ｄの第一、第二走行レール９、８への吊持部を支点とする表裏方向の振れ止めをする振れ止め機構が設けられている。
まず、開口部床面には、パネル体４近傍に位置して第二ドア体用振れ止め体３ｃが固定されており、該第二ドア体用振れ止め体３ｃに、第二ドア体３の下端面に形成した振れ止め凹部３ｄを移動自在に外嵌させることにより、第二ドア体３の開閉移動における表裏方向の振れ止めをするように構成されている。さらに、第二ドア体３の下端部戸先側には、表面側（第一ドア体２側）に延出する取り付け片３ｅが固定され、該取り付け片３ｅに第一ドア体用振れ止め体３ｆが設けられており、該第一ドア体用振れ止め体３ｆに、第一ドア体２の下端面に形成した振れ止め凹部２ｄを移動自在に外嵌させることにより、第一、第二ドア体２、３の下端部における連繋がなされて、第一ドア体２の開閉移動における表裏方向の振れ止めのみならず、第二ドア体３の戸先側部位の振れ止めをするように構成されている。この場合に、第一ドア体２は、第二ドア体３を介した状態で各振れ止め体３ｃ、３ｆによる振れ止め機能を受けるが、該振れ止め機能は、第一、第二ドア体２、３が左右方向に並列する状態の全閉姿勢からその近傍部位に位置する状態では戸尻側部位についてのみ有効であって、戸先側の振れ止めをすることはできない。
そこで、第一ドア体２の戸先側部位の振れ止めをするべく、本発明の振れ止め手段が設けられている。
【００１６】
つぎに、前記振れ止め手段について、図１に示す正面図に基づいて説明する。
つまり、第一ドア体２の戸先側に配される第一走行ローラユニット５を構成する第一固定片５ａには、振れ止め手段を構成するローラアームＲＡの構成部材であるベース部材（本発明の第一部材）１９が一体的に設けられている。前記ベース部材１９は、第一起立片５ｂの裏面側（壁体側）に沿う取り付け片１９ａを備えているが、該取り付け片１９ａの左右方向幅は第一起立片５ｂよりも長く形成され、取り付け片１９ａ下端縁の左右両端部に、表面側に向けて突出する一対の止着片１９ｂがそれぞれ折曲形成されている。そして、これら一対の止着片１９ｂを、第一起立片５ｂの左右両側に位置する第一固定片５ａの上面に止め螺子１９ｃを用いて螺合することにより、ベース部材１９の第一ドア体２への固定がなされている。尚、ベース部材１９は、各止着片１９ｂに開設された表裏方向に長い長孔１９ｄを介して第一固定片５ａに螺合することにより、第一ドア体２に対し表裏方向の位置調整がなされた状態で組み込み固定されるように設定されている。
【００１７】
そして、前記ベース部材１９の取り付け片１９ａには、Ｌ字プレート（本発明の第二部材）２０が固定されている。前記Ｌ字プレート２０は、左右方向に長い一方プレート２０ａと、該一方プレート２０ａの長手方向一方（第一ドア体２の戸先側であって、図１において左側端部）から上方に延出する（起立する）他方プレート２０ｂとを備え、これら各プレート２０ａ、２０ｂのプレート面が同一面を有するように構成されており、一方プレート２０ａの表面を、取り付け片１９ａ裏面の上側半部に宛てがって、螺子２０ｃを用いて螺合固定することによりベース部材１９に組み込み固定されている。ここで、一方プレート２０ａの左右長さは、取り付け片１９ａの左右長さより長く形成されており、本実施の形態では、上方に向けて起立する他方プレート２０ｂが第一起立片５ｂよりも左側（戸先側）に位置して配設されるように設定されている。
【００１８】
さらに、Ｌ字プレート２０に、長尺状板材をＬ字形に折曲して形成されたアーム部材（本発明の第三部材）２１が組込まれるが、該アーム部材２１は、上下方向を向く一方片部２１ａを他方プレート２０ｂの表面に宛てがい螺子２１ｂを用いて固定されている。このとき、アーム部材２１は、一方片部２１ａに開設された上下方向に長い長孔２１ｃを介して他方プレート２０ｂに螺合することにより、Ｌ字プレート２０（第一ドア体２）に対する上下方向の位置調整がなされた状態で組み込み固定されるように構成されている。そして、アーム部材２１の裏面側に突出する他方片部２１ｄの突出端部に、下方に突出する回転軸２２ａを備えた振れ止めローラ２２が軸承されるように構成されている。
このように、本実施の形態のローラアームＲＡは、ベース部材１９、Ｌ字プレート２０、アーム部材２１の三部材から構成され、これらを第一ドア体２に対して表裏方向、および、上下方向の調整がなされた状態で組み込み固定することにより、振れ止めローラ２２の第一ドア体２に対する取り付け位置を位置調整できるように構成されている。
ここで、前記Ｌ字プレート２０は、表裏を反対にして第一走行ローラユニット５に固定されたベース部材１９に固定することにより、上方に向けて起立する他方プレート２０ｂを、第一起立片５ｂの右方に位置する状態で配設することができ、このようにすることにより、ローラアームＲＡを左右勝手違いの引き戸装置（第一、第二ドア体２、３の開放方向）の何れのものにも、第一走行ローラユニット５の戸先側に位置して組み付けられるようにしている。
【００１９】
そして、第一ドア体２にローラアームＲＡを介して振れ止めローラ２２を取り付けた状態において、アーム部材２１に軸承された振れ止めローラ２２の上下方向の配設位置は、第一、第二走行ローラ５ｄ、６ｄの第一、第二走行レール９、８への吊持部よりもさらに下方であるが、ローラアームＲＡの第一ドア体２との固定部である第一ドア体２（第二ドア体３）上端面よりは上方に位置するように設定され、かつ、振れ止めローラ２２の表裏方向の配設位置は、第一ドア体２に積層する第二ドア体３を越えて、レール用支持ブラケット７の取り付け面７ａ部位に至るよう、第一ドア体２（第二ドア体３）に対してドア厚方向裏面側に偏寄して配設されている。
【００２０】
そして、前記振れ止めローラ２２を嵌合するための振れ止めレールユニット２３は、開口部上方となる躯体壁面に配されたレール用支持ブラケット７に設けられている。
即ち、レール用支持ブラケット７の取り付け面７ａには、振れ止めローラ２２配設位置に対向して凹部７ｃが形成されており、ここに、レールユニット２３が設けられている。前記凹部７ｃは、自閉装置１６の戸尻側に隣接する部位から開口部戸尻側部位に至る全長に亘って一体に形成されており、該凹部７ｃの戸先側部位からパネル体４の戸先側部位の上方に至る部位に、レールユニット２３を構成する第一レール部材２４が固定されている。前記第一レール部材２４は、凹部７ｃの溝底面に固定される上片２４ａと、該上片２４ａよりも表側に偏寄し、下端縁が凹部７ｃの溝側片に突き当てられる下片２４ｂと、これら上片２４ａと下片２４ｂとのあいだを連結し、水平方向を向く段差片２４ｃとにより構成されている。そして、段差片２４ｃに第二レール部材２５が固定されるが、該第二レール部材２５は、段差片２４ｃの上面に宛てがわれる連結片２５ａと、該連結片２５ａの表側縁部に一体形成され、凹状のレール溝２５ｂを形成するレール部２５ｃとにより構成されている。そして、第二レール部材２５は、連結片２５ａに形成される表裏方向に長い長孔２５ｄを介して螺子２５ｅにより段差片２４ｃに取付けることにより、躯体壁体に対する表裏方向の位置調整がなされた状態で固定することができるように構成されている。
【００２１】
そして、振れ止めローラ２２をレール溝２５ｂ（振れ止めレール２３）に嵌合し、レール溝２５ｂの左右方向に長い表裏一対の溝側片により振れ止めローラの移動規制をすることにより、第一ドア体２の戸先側に生じる表裏方向の振れ止めを行うように設定されている。このとき、振れ止めローラ２２の配設位置は、前述したように、第一走行ローラ５ｄの第一走行レール９吊持部よりも下方で、ローラアームＲＡの第一ドア体２との固定部である第一ドア体２の上面よりも上方位置であり、かつ、第一ドア体２に対しドア厚方向に偏寄する位置に設けられている。そして、振れ止めレール２３を開口部上方の躯体壁面のレール用支持ブラケット７に設けることにより、ローラアームＲＡの全長を短くすることができるように構成されている。
尚、２６は、開口部上方に配設されるカバー体であって、該カバー体２６は、第一、第二ドア体２、３の上縁部から、第一、第二走行レール９、８の配設部位の表側を覆蓋するように構成されている。
【００２２】
叙述の如く構成された本形態において、開口部を、左右二枚の第一、第二ドア体２、３により開閉するように構成したものにおいて、第一ドア体２の戸先側部位の振れ止めは、戸先側に配した振れ止めローラ２２を振れ止めレール２３に嵌合させることによりなされるが、この場合に、振れ止めローラ２２は、第一走行ローラ５ｄの第一走行レール９吊持部よりも下方で、ローラアームＲＡの第一ドア体２との固定部である第一ドア体２の上面よりも上方位置であり、かつ、第二ドア体２に対しドア厚方向に偏寄する位置に設けられている。これによって、振れ止めレール２３を開口部上方の躯体壁面のレール用支持ブラケット７に設けることができ、天井部に振れ止めレールを設ける場合のようにローラアームＲＡの全長を長くする必要がなくコンパクトにすることができ、重量化するのを抑制できるうえ、耐久性、意匠性にも優れる。
【００２３】
そして、このものでは、第一、第二ドア体用振れ止め体３ｃ、３ｆで吸収することができにくい第一ドア体２の、しかも、第一ドア体２の戸先側における振れを吸収することができ、第一、第二ドア体２、３の開閉作動を全過程で静粛で安定したものにすることができる。
さらに、このものでは、レール用支持ブラケット７に自閉装置１６が設けられていて、第一、第二ドア体２、３を自閉させることができるように構成されるが、振れ止めローラ２２は、引き戸装置１の全閉姿勢において、自閉装置１６の戸尻側に隣接するように第一ドア体２に設けられている。これによって、振れ止めローラ２２と振れ止めレール２３とがともに自閉装置１６に干渉することがない状態において、第一ドア体２の最も戸先となる部位に設けられることになって、効果的に振れを吸収することができて、静粛で安定した開閉作動をする引き戸装置１とすることができる。
【００２４】
しかもこのものでは、ローラアームＲＡをベース部材１９、Ｌ字プレート２０、アーム部材２１の三部材で構成し、これらを第一ドア体２に対し表裏方向の位置調整、上下方向の位置調整が可能な状態で組み込み固定することができる構成としたので、これらの調整に基づいて振れ止めローラ２２の配設位置を設定することができ、第一ドア体２の建て付け誤差を吸収することができる。
【００２５】
さらにこのものでは、振れ止めレール２３を、第一、第二レール部材２４、２５の二部材で構成し、これら部材２４、２５をレール用支持ブラケット７に対し表裏方向の位置調整が可能な状態で組み込み固定することができる構成としたので、レール用支持ブラケット７に対する振れ止めレール２３の配設位置を適宜調整でき、持って、振れ止めローラ２２と振れ止めレール２３とを精度のよい嵌合状態とすることができ、振れ止め手段を設けたものでありながら、第一、第二ドア体２、３を静粛で円滑な開閉作動の引き戸装置とすることができる。
【図面の簡単な説明】
【００２６】
【図１】引き戸装置の全閉姿勢における概略全体正面図である。
【図２】引き戸装置の全開姿勢における概略全体正面図である。
【図３】引き戸装置を説明する一部切り欠き側面図である。
【図４】引き戸装置を説明する一部切り欠き平面図である。
【図５】図５（Ａ）、（Ｂ）、（Ｃ）はそれぞれ第一走行ローラユニットの平面図、側面図、正面図である。
【図６】図６（Ａ）、（Ｂ）、（Ｃ）、（Ｄ）はそれぞれ第二走行ローラユニットの平面図、側面図、正面図、底面図である。
【図７】図７（Ａ）、（Ｂ）、（Ｃ）はそれぞれＬ字プレートの平面図、側面図、背面図である。
【図８】図８（Ａ）、（Ｂ）、（Ｃ）、（Ｄ）はそれぞれアーム部材の平面図、側面図、底面図、背面図である。
【図９】図９（Ａ）、（Ｂ）、（Ｃ）はそれぞれローラアームの平面図、側面図、背面図である。
【図１０】図１０（Ａ）、（Ｂ）、（Ｃ）はそれぞれ第一レール部材の平面図、正面図、側面図である。
【図１１】図１１（Ａ）、（Ｂ）はそれぞれ第二レール部材の平面図、側面図である。
【符号の説明】
【００２７】
１    引き戸装置
２    第一ドア体
３    第二ドア体
４    パネル体
５ｄ    第一走行ローラ
６ｄ    第二走行ローラ
８    第二走行レール
９    第一走行レール
１６    自閉装置
１７    ストッパ装置
１８    制動装置
１９    ベース部材
２０    Ｌ字プレート
２１    アーム部材
２２    振れ止めローラ
２３    振れ止めレール
２４    第一レール部材
２５    第二レール部材
【図１】
2007146545.tif 000003
【図２】
2007146545.tif 000004
【図３】
2007146545.tif 000005
【図４】
2007146545.tif 000006
【図５】
2007146545.tif 000007
【図６】
2007146545.tif 000008
【図７】
2007146545.tif 000009
【図８】
2007146545.tif 000010
【図９】
2007146545.tif 000011
【図１０】
2007146545.tif 000012
【図１１】
2007146545.tif 000013